(57)【要約】【課題】通話状態を高精度に検知し、音声通話中における消費電流を確実に低減することができる携帯電話装置及び消費電力低減方法の提供。【解決手段】無線通信を行う無線部２と表示部５と音声を出力するレシーバー部８とレシーバー部８近傍に設けられたカメラ部１０とカメラ部１０で取得した画像データの明度や輪郭などに基づいて携帯電話装置が使用者の耳近傍に配置されていることを検知する検知部１２と携帯電話装置が使用者の耳近傍に配置されている場合に、表示部５の照明を停止又は減光する表示部制御手段４又は無線部２の送信電力を所定の上限値以下に制御する無線部制御手段とを備えるものであり、画像データを解析することによって携帯電話装置が使用者の耳近傍に配置されている状態を高精度に検知することができ、通話中における表示部５や無線部２の消費電力を確実に低減することができる。【選択図】図２
2007259134.tif 000002
【特許請求の範囲】
【請求項１】
無線部と、表示部と、音声を出力するレシーバー部と、該レシーバー部近傍に設置されたカメラ部と、を少なくとも有する携帯電話装置において、
前記カメラ部で取得した画像データに基づいて、前記携帯電話装置の前記レシーバー部が使用者の耳近傍に配置されている状態を検知する検知部と、
前記携帯電話装置が前記状態の場合に、前記表示部の照明を停止又は減光する表示部制御手段と、を備えることを特徴する携帯電話装置。
【請求項２】
無線部と、表示部と、音声を出力するレシーバー部と、該レシーバー部近傍に設置されたカメラ部と、を少なくとも有する携帯電話装置において、
前記カメラ部で取得した画像データに基づいて、前記携帯電話装置の前記レシーバー部が使用者の耳近傍に配置されている状態を検知する検知部と、
前記携帯電話装置が前記状態の場合に、前記無線部の送信出力を予め定めた上限値以下に制御する無線部制御手段と、を備えることを特徴する携帯電話装置。
【請求項３】
前記検知部では、画像データに基づく画像の明度を検出し、前記画像全体又は特定の領域の前記明度が予め定めた規定値以下の場合に、前記携帯電話装置の前記レシーバー部が使用者の耳近傍に配置されている状態であると判断することを特徴とする請求項１又は２に記載の携帯電話装置。
【請求項４】
前記検知部では、画像データに基づく画像の輪郭を抽出し、前記輪郭と予めに記憶された耳の輪郭情報とが略一致する場合に、前記携帯電話装置の前記レシーバー部が使用者の耳近傍に配置されている状態であると判断することを特徴とする請求項１又は２に記載の携帯電話装置。
【請求項５】
前記カメラ部は、所定の時間間隔で画像データを取得し、
前記検知部では、前記画像全体又は特定の領域の前記明度の変化、又は、前記輪郭の変化に基づいて、前記携帯電話装置の前記レシーバー部が使用者の耳に接近している状態を判別することを特徴とする請求項１乃至４のいずれか一に記載の携帯電話装置。
【請求項６】
無線部と、表示部と、音声を出力するレシーバー部と、該レシーバー部近傍に設置されたカメラ部と、を少なくとも有する携帯電話装置における消費電力低減方法であって、
前記カメラ部で画像データを取得する画像データ取得ステップと、
前記カメラ部で取得した画像データに基づいて、前記携帯電話装置の前記レシーバー部が使用者の耳近傍に配置されている状態を検知する検知ステップと、
前記携帯電話装置が前記状態の場合に、前記表示部の表示を停止する制御ステップと、を少なくとも有することを特徴とする携帯電話装置における消費電力低減方法。
【請求項７】
無線部と、表示部と、音声を出力するレシーバー部と、該レシーバー部近傍に設置されたカメラ部と、を少なくとも有する携帯電話装置における消費電力低減方法であって、
前記カメラ部で画像データを取得する画像データ取得ステップと、
前記カメラ部で取得した画像データに基づいて、前記携帯電話装置の前記レシーバー部が使用者の耳近傍に配置されている状態を検知する検知ステップと、
前記携帯電話装置が前記状態の場合に、前記無線部の送信出力を予め定めた上限値以下に制御する制御ステップと、を少なくとも有することを特徴とする携帯電話装置における消費電力低減方法。
【請求項８】
前記検知ステップでは、画像データに基づく画像の明度を検出し、前記画像全体又は特定の領域の前記明度が予め定めた規定値以下の場合に、前記携帯電話装置の前記レシーバー部が使用者の耳近傍に配置されている状態であると判断することを特徴とする請求項６又は７に記載の携帯電話装置における消費電力低減方法。
【請求項９】
前記検知ステップでは、画像データに基づく画像の輪郭を抽出し、前記輪郭と予めに記憶された耳の輪郭情報とが略一致する場合に、前記携帯電話装置の前記レシーバー部が使用者の耳近傍に配置されている状態であると判断することを特徴とする請求項６又は７に記載の携帯電話装置における消費電力低減方法。
【請求項１０】
前記画像データ取得ステップでは、所定の間隔で画像データを取得し、
前記検知ステップでは、前記画像全体又は特定の領域の前記明度の変化、又は、前記輪郭の変化に基づいて、前記携帯電話装置の前記レシーバー部が使用者の耳に接近している状態を判別することを特徴とする請求項６乃至９のいずれか一に記載の携帯電話装置における消費電力低減方法。
【発明の詳細な説明】
【技術分野】
【０００１】
本発明は、携帯電話装置及び該携帯電話装置における消費電力低減方法に関し、特に音声を出力するレシーバー部近傍にカメラ部を備えた携帯電話装置及び該携帯電話装置における消費電力低減方法に関する。
【背景技術】
【０００２】
携帯電話装置の分野では、多機能化及び小型化が要求されている。多機能化という面では消費電力は増加する方向であり、小型化という面ではバッテリーは小さくする方向であり、このような相反する状況下において、連続して通話できる時間を長くすることが基本的に求められている。
【０００３】
上記要求に対して、例えば、下記特許文献１には、カメラ機能及び表示機能を備えた携帯電話装置において、装置本体と使用者との間の距離を検知する距離検知手段と、検知された距離に基づいて装置本体が通常の通話位置にあるか否かを判断する判断手段とを設け、その判断結果に応じてカメラ機能と表示機能の動作を制御する技術が開示されている。
【０００４】
また、下記特許文献２には、通話中であるか否かを検知する通話中検知手段と、会話中に利用者の身体の一部により覆われる場所に配置され、光を検出する光検出手段と、光が検知され、かつ、光の明るさが閾値以下であったときに照明を減光する照明減光手段とを備える携帯電話機が開示されている。
【０００５】
【特許文献１】特開２００２−１１１８０１号公報（第３−６頁、第４図）
【特許文献２】特開２００２−３７４３４８号公報（第２−５頁、第２図）
【発明の開示】
【発明が解決しようとする課題】
【０００６】
しかしながら、上記特許文献１では、距離検知手段は携帯電話装置と他の物体との距離を検知するだけであるため、装置本体が通常の通話位置にあるか否かを正確に判断することはできない。例えば、距離検知手段の前に指を置いた場合に、検知された距離が所定距離以下と判断されるため、通話中でないにもかかわらず表示部の照明が消灯されてしまうという不具合が生じる。一方、携帯電話装置を耳からある程度離している場合に、検知された距離が所定距離以上と判断されるため、通話中であるにもかかわらず表示部の照明が消灯されないという不具合が生じる。
【０００７】
また、上記特許文献２では、通話中検知手段で通話中であるか否かを検知することができるが、光検出手段は周囲全体の明るさを検出するため、やはり、装置本体が通常の通話位置にあるか否かを正確に判断することはできない。例えば、周囲が暗い場合には装置を耳に近づけていない状態でも光の明るさが閾値以下と判断される場合があるため、通常の通話位置でないにもかかわらず表示部の照明が消灯されてしまうという不具合が生じる。一方、周囲が明るい場合には装置を耳に密着させていない状態では光の明るさが閾値以上と判断される場合があるため、通常の通話位置であるにもかかわらず表示部の照明が消灯されないという不具合が生じる。
【０００８】
本発明は上記問題点に鑑みてなされたものであって、その主たる目的は、携帯電話装置のレシーバー部が使用者の耳近傍に配置されている音声通話状態を高精度に検知し、音声通話中における消費電力を確実に低減することができる携帯電話装置及び該携帯電話装置における消費電力低減方法を提供することにある。
【課題を解決するための手段】
【０００９】
上記目的を達成するため、本発明は、無線部と、表示部と、音声を出力するレシーバー部と、該レシーバー部近傍に設置されたカメラ部と、を少なくとも有する携帯電話装置において、前記カメラ部で取得した画像データに基づいて、前記携帯電話装置の前記レシーバー部が使用者の耳近傍に配置されている状態を検知する検知部と、前記携帯電話装置が前記状態の場合に、前記表示部の照明を停止又は減光する表示部制御手段と、を備えるものである。
【００１０】
また、本発明は、無線部と、表示部と、音声を出力するレシーバー部と、該レシーバー部近傍に設置されたカメラ部と、を少なくとも有する携帯電話装置において、前記カメラ部で取得した画像データに基づいて、前記携帯電話装置の前記レシーバー部が使用者の耳近傍に配置されている状態を検知する検知部と、前記携帯電話装置が前記状態の場合に、前記無線部の送信出力を予め定めた上限値以下に制御する無線部制御手段と、を備えるものである。
【００１１】
本発明においては、前記検知部では、画像データに基づく画像の明度を検出し、前記画像全体又は特定の領域の前記明度が予め定めた規定値以下の場合に、前記携帯電話装置の前記レシーバー部が使用者の耳近傍に配置されている状態であると判断する構成とすることができる。
【００１２】
また、本発明においては、前記検知部では、画像データに基づく画像の輪郭を抽出し、前記輪郭と予めに記憶された耳の輪郭情報とが略一致する場合に、前記携帯電話装置の前記レシーバー部が使用者の耳近傍に配置されている状態であると判断する構成とすることができる。
【００１３】
また、本発明においては、前記カメラ部は、所定の時間間隔で画像データを取得し、前記検知部では、前記画像全体又は特定の領域の前記明度の変化、又は、前記輪郭の変化に基づいて、前記携帯電話装置の前記レシーバー部が使用者の耳に接近している状態を判別する構成とすることができる。
【００１４】
また、本発明は、無線部と、表示部と、音声を出力するレシーバー部と、該レシーバー部近傍に設置されたカメラ部と、を少なくとも有する携帯電話装置における消費電力低減方法であって、前記カメラ部で画像データを取得する画像データ取得ステップと、前記カメラ部で取得した画像データに基づいて、前記携帯電話装置の前記レシーバー部が使用者の耳近傍に配置されている状態を検知する検知ステップと、前記携帯電話装置が前記状態の場合に、前記表示部の表示を停止する制御ステップと、を少なくとも有するものである。
【００１５】
また、本発明は、無線部と、表示部と、音声を出力するレシーバー部と、該レシーバー部近傍に設置されたカメラ部と、を少なくとも有する携帯電話装置における消費電力低減方法であって、前記カメラ部で画像データを取得する画像データ取得ステップと、前記カメラ部で取得した画像データに基づいて、前記携帯電話装置の前記レシーバー部が使用者の耳近傍に配置されている状態を検知する検知ステップと、前記携帯電話装置が前記状態の場合に、前記無線部の送信出力を予め定めた上限値以下に制御する制御ステップと、を少なくとも有するものである。
【００１６】
本発明においては、前記検知ステップでは、画像データに基づく画像の明度を検出し、前記画像全体又は特定の領域の前記明度が予め定めた規定値以下の場合に、前記携帯電話装置の前記レシーバー部が使用者の耳近傍に配置されている状態であると判断する構成とすることができる。
【００１７】
また、本発明においては、前記検知ステップでは、画像データに基づく画像の輪郭を抽出し、前記輪郭と予めに記憶された耳の輪郭情報とが略一致する場合に、前記携帯電話装置の前記レシーバー部が使用者の耳近傍に配置されている状態であると判断する構成とすることができる。
【００１８】
また、本発明においては、前記画像データ取得ステップでは、所定の時間間隔で画像データを取得し、前記検知ステップでは、前記画像全体又は特定の領域の前記明度の変化、又は、前記輪郭の変化に基づいて、前記携帯電話装置の前記レシーバー部が使用者の耳に接近している状態を判別する構成とすることができる。
【００１９】
このように、本発明では、携帯電話装置のレシーバー部近傍に予め設けられているカメラ部を利用し、カメラ部で取得した画像データに基づいて、携帯電話装置のレシーバー部が使用者の耳近傍に配置されている音声通話状態を検知し、携帯電話装置が音声通話状態の場合に、表示部制御手段で表示部の照明を停止又は減光したり、無線部制御手段で無線部の送信電力が予め定めた上限値以下に制御されるため、音声通話中における消費電力を確実に低減することができる。
【発明の効果】
【００２０】
本発明の携帯電話装置及び該携帯電話装置における消費電力低減方法によれば、音声通話中における消費電力を確実に低減することができる。
【００２１】
その理由は、音声を出力するレシーバー部近傍にカメラ部を備える携帯電話装置において、カメラ部で取得した画像データに基づいて、携帯電話装置のレシーバー部が使用者の耳近傍に配置されている音声通話状態を検知する検知部と、携帯電話装置が音声通話状態の場合に、表示部の照明を停止又は減光する表示部制御手段とを設けているため、音声通話状態を高精度に検知することができ、音声通話中における表示部の消費電力を低減することができるからである。
【００２２】
また、携帯電話装置が音声通話状態の場合に、無線部の送信電力を予め定めた上限値以下に制御する無線部制御手段を設けているため、音声通話状態を高精度に検知することができ、音声通話中における無線部の消費電力を低減することができるからである。
【発明を実施するための最良の形態】
【００２３】
本発明に係る携帯電話装置は、その好ましい一実施の形態において、無線通信を行う無線部と、表示部と、音声を出力するレシーバー部と、レシーバー部近傍に設けられたカメラ部と、カメラ部で取得した画像データの明度や彩度、輪郭などに基づいて携帯電話装置のレシーバー部が使用者の耳近傍に配置されている音声通話状態を検知する検知部と、携帯電話装置が音声通話状態の場合に、表示部の照明を停止又は減光する表示部制御手段、又は、無線部の送信電力を予め定めた上限値以下に制御する無線部制御手段とを備えるものであり、使用者が通話を行なうためにレシーバー部を耳に近づけた状態では使用者が表示部を見ることができない点に着目して、通話中における表示部の消費電力を低減し、また、使用者が通話を行なうためにレシーバー部を耳に近づけた状態ではアンテナ特性が良好になる点に着目して、通話中における無線部の消費電力を低減する。これにより、音声通話状態を高精度に検知して、音声通話中における消費電力を確実に低減することができる。
【実施例１】
【００２４】
上記した本発明の実施の形態についてさらに詳細に説明すべく、本発明の第１の実施例に係る携帯電話装置及び該携帯電話装置における消費電力低減方法について、図１乃至図３を参照して説明する。図１は、本実施例に係る携帯電話装置の概観を示す正面図及び背面図であり、図２は、本実施例に係る携帯電話装置の構成を示すブロック図である。また、図３は、本実施例に係る携帯電話装置を用いた消費電力低減動作を示すフローチャート図である。
【００２５】
図１に示すように、本実施例の携帯電話装置は、折り畳み形状を有しており、携帯電話装置の内側（正面）には、音声を出力するレシーバー部８、音声を入力するマイク部９、ＬＣＤ（Liquid Crystal Display）などの表示部５、十字キーや数字キー、特殊キーなどからなる入力部７に加えて、レシーバー部８近傍に正面方向を撮像して所定の形式の画像データを出力するカメラ部１０などが設けられている。また、携帯電話装置の外側（背面）には、背面表示部６、背面カメラ部１１などが設けられている。また、携帯電話装置の任意の場所（例えば、表示部側筐体の上部やヒンジ部など）にアンテナ３が設けられている。なお、図１では、表示部側筐体の内側にカメラ部１０を備える構造を示したが、表示部側筐体の上部に、回転可能な（撮像方向を変更可能な）カメラ部を備える構造としてもよい。また、本実施例の携帯電話装置は、少なくともレシーバー部８近傍にカメラ部１０が設置されていればよく、背面表示部６や背面カメラ部１１などは任意であり、表示部５や入力部７の構成や配置なども任意である。また、図１では折り畳み型の携帯電話装置を示しているが、携帯電話装置の形状は任意であり、１つの筐体で構成される一体型やスライド型などとしてもよい。
【００２６】
また、本実施例の携帯電話装置の手段をブロック図で示すと図２のようになり、上記に加えて、表示部５や背面表示部６の表示を制御する表示部制御手段４と、カメラ部１０で取得した画像データに基づいて、携帯電話装置のレシーバー部８が使用者の耳近傍に配置されている音声通話状態を検知する検知部１２と、各手段を制御する制御部１とを備えている。
【００２７】
表示部５は、液晶パネルをバックライトで照明する表示方式（以下、常時表示方式と呼ぶ。）、又は、音声通話状態でバックライトを消灯、又は、減光する表示方式（以下、低電力表示方式と呼ぶ。）のいずれかを選択できるように構成され、表示部制御手段４は、入力部７の入力に応じて、選択された方式に従って表示部５の表示を制御する。
【００２８】
また、検知部１２は、カメラ部１０で取得した画像データを解析することによって携帯電話装置のレシーバー部８が使用者の耳近傍に配置されている音声通話状態を検知する機能を果たす。検知の方法として、例えば、耳が接近した状態では画像が暗くなることから、画像の各画素の明度を抽出し、明度が予め定められた規定値以下の場合に、携帯電話装置のレシーバー部８が使用者の耳近傍に配置されたと判断することができる。なお、明度の検出方法は特に限定されず、例えば、画像データの各画素の数値が大きいと画像が明るいことから、画像全体から所定数の画素をサンプリングし、サンプリングした画素の数値を平均化して画像の明度を特定するなどの手法を用いることができる。
【００２９】
また、明度の平均値を使用する場合、周囲の明るさの影響を受けて検知の精度が低下する恐れがあることから、例えば、画像の特定の領域（例えば、中央近傍の領域）の画素の明度と規定値とを比較するようにしてもよく、この構成では、周囲が明るい場合でも耳の中央部分は十分に暗いことから、検知の精度を高めることができる。また、単に明度を基準にすると他の物体が近接した場合でも携帯電話装置が使用者の耳近傍に配置されたと判断してしまう恐れがあることから、例えば、明度に代えて又は明度と共に、各画素のＲＧＢの数値の比率から画像の彩度（色彩）を検出し、検出した色彩と予め記憶しておいた耳の色彩（肌色）とを比較することによって検知の精度を高めることもできる。また、画像処理によって画像の輪郭を抽出し、抽出した輪郭と予め記憶しておいた耳の輪郭情報とを比較することによっても携帯電話装置が使用者の耳近傍に配置されたことを確実に検知することができる。
【００３０】
また、上記検知は１つの画像データに基づいて行ってもよいが、例えば、予め定められた所定の間隔で画像データを取得し、画像情報の変化に基づいて携帯電話装置が使用者の耳近傍に接近している状態を検知してもよい。例えば、画像の明度が徐々に小さく（画像が徐々に暗く）なったら耳に近づいていると判断したり、画像の明度が徐々に小さく、かつ、明度分布が徐々に小さく（すなわち、画像全体が徐々に暗く）なったら耳に近づいていると判断したり、画像から抽出した耳の輪郭が徐々に大きくなったら耳に近づいていると判断することができる。このように、画像情報の変化に基づいて判断することにより、周囲の明るさの影響を受けにくくすることができると共に、携帯電話装置が使用者の耳に密着しているか、少し離れて配置されているかも判断することができる。更に、上述した複数の検知方法を組み合わせることで、より高精度に携帯電話装置と使用者の耳との位置関係を判断することができる。
【００３１】
次に、上記構成の携帯電話装置を用いて、音声通話中に表示部５の消費電力を低減する動作について図３のフローチャート図を参照して説明する。
【００３２】
まず、ステップＳ１０１で、制御部１は、携帯電話装置が音声通話の着信又は発信状態にある場合、ステップＳ１０２で、入力部７においてキー操作（例えば、通話キーの押下）が行われた場合に音声通話を確立する。
【００３３】
次に、ステップＳ１０３で、音声通話中に、常時表示方式又は低電力表示方式のいずれかを選択する。低電力表示方式が選択された場合は、ステップＳ１０４で、制御部１はカメラ部１０を起動させ、画像データを取得し、検知部１２に出力する。なお、カメラ部１０では画像データを１回取得してもよいし、所定の間隔で複数回取得してもよい。
【００３４】
次に、ステップＳ１０５で、検知部１２は、カメラ部１０で取得した画像データを解析して画像データに基づく画像の明度を検出する。ここで、カメラ部１０は、携帯電話装置のレシーバー部８近傍に配置されているため、携帯電話装置を耳にあてるとほぼ真っ暗な画像となる。
【００３５】
次に、ステップＳ１０６で、検知部１２は、検出した明度と予め設定された明度の規定値とを比較する。そして、検出した明度が規定値よりも低い場合は、携帯電話装置が使用者の耳近傍に配置されていると判断し、ステップＳ１０７で、表示部制御手段４は、表示部５の表示を停止（すなわち、バックライトを消灯又は減光）する。
【００３６】
なお、ここでは、画像全体の明度と規定値とを比較したが、本実施例では画像データを解析することから、例えば、画像の中央部の明度を検出したり、画像の明度分布を検出することによって、周囲の明るさの影響を抑制して、携帯電話装置が耳に密着又は近接している状態を確実に検知することができる。また、画像の彩度（色彩）を検出し、耳の色と比較することによって、周囲の明るさの影響を受けずに、携帯電話装置が耳に密着又は近接している状態を確実に検知することもできる。また、明度や彩度に代えて画像の輪郭を抽出し、予め記憶された耳の輪郭情報と比較することによって、周囲の明るさの影響を受けずに、携帯電話装置が耳に密着又は近接している状態を確実に検知することもできる。更に、所定の間隔で取得した複数の画像データを解析することにより、携帯電話装置と使用者の耳との位置関係を正確に検知することもできる。
【００３７】
、
また、ステップＳ１０６で、検出した明度が規定値よりも大きい（画像が明るい）場合には、耳が携帯電話装置から通話ができないくらい離れていると判断して、ステップＳ１０８で表示部５は通常通りに表示を行う。そして、ステップＳ１０９で、音声通話が終了したら、ステップＳ１１０で制御部１はカメラ部１０の動作を停止させる。
【００３８】
一方、ステップＳ１０３で常時表示方式を選択した場合は、ステップＳ１１１で、音声通話中の表示部５は通常表示方式で表示を行い、ステップＳ１１２で、音声通話を終了する。
【００３９】
なお、上記フローでは、ステップＳ１０２で音声通話が確立した後に表示方式を選択したが、予め表示方式を選択しておき、低電力表示方式が選択されている場合に、音声通話が確立したら直ちに又は所定の時間経過後に自動的に表示部５の表示を停止するようにしてもよい。また、上記フローでは、正面側の表示部５の表示のみを停止させたが、音声通話中に背面表示部６の表示も見ることはないため、背面表示部６の表示も停止するようにしてもよい。
【００４０】
このように、本実施例の携帯電話装置では、カメラ部１０で取得した画像データを解析し、明度や明度の分布、色彩、輪郭などに基づいて携帯電話装置と使用者の耳との位置関係を把握するため、携帯電話装置のレシーバー部８が使用者の耳近傍に配置されている音声通話状態を高精度に検知することができる。また、携帯電話装置が音声通話状態の場合には表示部５を見ることはないことから、その表示を停止することによって音声通話中における表示部５の消費電力を確実に低減することができる。
【実施例２】
【００４１】
次に、本発明の第２の実施例に係る携帯電話装置及び該携帯電話装置における消費電力低減方法について、図４及び図５を参照して説明する。図４は、本実施例に係る携帯電話装置の構成を示すブロック図であり、図５は、本実施例に係る携帯電話装置を用いた消費電力低減の動作を示すフローチャート図である。
【００４２】
一般的に、携帯電話装置は電波を遮断する物体の有無によってアンテナ特性が変化するため、良好な通信状態を維持するために規格内で送信電力を変化させているが、音声通話の状態（携帯電話装置を耳近傍に配置した状態）ではアンテナの角度は略一定に保たれており、また、耳（頭部）とアンテナとの位置関係が略一定に保たれていることから、アンテナ特性は良好となる。そこで、本実施例では、携帯電話装置のレシーバー部８が使用者の耳近傍に配置されている音声通話時に、携帯電話装置の送信パワーを上限値以下に制御することによって、無線部の消費電力の低減を図る。
【００４３】
携帯電話機装置の外観構成は図１と同様であり、携帯電話装置の内側（正面）に、レシーバー部８、マイク部９、表示部５、入力部７、レシーバー部８近傍のカメラ部１０などを備え、携帯電話装置の外側（背面）に、背面表示部６、背面カメラ部１１などを備え、携帯電話装置の任意の場所にアンテナ３を備えている。また、図４に示すように、本実施例の携帯電話機装置は、携帯電話装置のレシーバー部８が使用者の耳近傍に配置されている音声通話状態を検知する検知部１２と、無線部２の通信方式を制御する無線部制御手段１３とを備えている。
【００４４】
無線部１２は、通常の送信パワーで通信を行う方式（以下、通常通信方式と呼ぶ。）、又は、無線部１２の送信パワーに上限値を設けて上限値以下の送信パワーで通信を行う方式（以下、低電力通信方式と呼ぶ。）のいずれかを選択できるように構成され、無線部制御手段１３は、入力部７の入力に応じて、選択された方式に従って無線部１２の通信を制御する。
【００４５】
次に、上記構成の携帯電話装置を用いて、音声通話中に無線部１２の送信パワーを低減する消費電力低減の動作について図５のフローチャート図を参照して説明する。
【００４６】
まず、ステップＳ２０１で、制御部１は、携帯電話装置が音声通話の着信又は発信状態にある場合、ステップＳ２０２で、入力部７においてキー操作が行なわれた場合に音声通話を確立する。
【００４７】
次に、ステップＳ２０３で、音声通話中に、通常通信方式、又は、低電力通信方式のいずれを選択する。低電力通信方式が選択された場合は、ステップＳ２０４で、制御部１はカメラ部１０を起動させ、画像データを取得し、検知部１２に出力する。なお、第１の実施例と同様に、カメラ部１０では画像データを１回取得してもよいし、所定の間隔で複数回取得してもよい。
【００４８】
次に、ステップＳ２０５で、検知部１２は、カメラ部１０で取得した画像データを解析して画像データに基づく画像の明度を検出する。ここで、カメラ部１０は、携帯電話装置のレシーバー部８近傍に配置されているため、携帯電話装置を耳にあてるとほぼ真っ暗な画像となる。
【００４９】
次に、ステップＳ２０６で、検知部１２は、検出した明度と予め設定された明度の規定値とを比較する。そして、検出した明度が規定値よりも低い場合は、携帯電話装置が使用者の耳近傍に配置されていると判断し、ステップＳ２０７で、無線部制御手段１３は、無線部１２の送信パワーに上限値を設定する。これにより予め設定された送信パワー以上の出力は送信されないようになる。
【００５０】
なお、ここでは、画像の全体の明度と規定値とを比較したが、前述したように本実施例では画像データを解析することから、例えば、画像の中央部の明度を検出したり、画像の明度分布を検出することによって、周囲の明るさの影響を抑制して、携帯電話装置が耳に密着又は近接している状態を確実に検知することができる。また、画像の彩度（色彩）を検出し耳の色と比較することによって、周囲の明るさの影響を受けずに、携帯電話装置が耳に密着又は近接している状態を確実に検知することもできる。また、明度や彩度に代えて画像の輪郭を抽出し、予め記憶された耳の輪郭情報と比較することによって、周囲の明るさの影響を受けずに、携帯電話装置が耳に密着又は近接している状態を確実に検知することもできる。更に、所定の間隔で取得した複数の画像データを解析することにより、携帯電話装置と使用者の耳との位置関係を正確に検知することもできる。
【００５１】
また、ステップＳ２０６で、検出した明度が規定値よりも大きい（画像が明るい）場合には、耳が携帯電話装置から通話ができないくらい離れていると判断して、ステップＳ２０８で、送信パワーの上限値の設定を解除し、電波法で規定されている範囲で送信パワーを調整する。そして、ステップＳ２０９で、音声通話が終了したら、ステップＳ２１０で制御部１はカメラ部１０の動作を停止させる。
【００５２】
一方、ステップＳ２０３で通常通信方式を選択した場合は、ステップＳ２１１で送信パワーの上限値は解除され、電波法で規定されている範囲内で送信パワーの出力を調整して音声通話を行い、ステップＳ２１２で音声通話を終了する。
【００５３】
なお、上記フローでは、ステップＳ２０２で音声通話が確立した後に通信方式を選択したが、予め通信方式を選択しておき、低電力通信方式が選択されている場合に、音声通話が確立したら直ちに又は所定の時間経過後に自動的に送信パワーの上限値を設定するようにしてもよい。
【００５４】
このように、本実施例の携帯電話装置では、カメラ部１０で取得した画像データを解析し、明度や明度の分布、色彩、輪郭などに基づいて携帯電話装置と使用者の耳との位置関係を把握するため、携帯電話装置のレシーバー部８が使用者の耳近傍に配置されている音声通話状態を高精度に検知することができる。また、携帯電話装置が音声通話状態の場合にはアンテナ特性が良好であることから、無線部１２の送信パワーに上限値を設定することによって音声通話中における無線部２の消費電力を確実に低減することができる。
【００５５】
なお、上記各実施例では、表示部５の表示を停止又は減光するか、又は無線部１２の送信パワーを上限値以下に制御するかのいずれかの制御を行ったが、本発明は上記実施例に限定されるものではなく、両方の制御を同時に行ってもよいし、入力部７をバックライトで照明している場合にその照明を消したり、アプリケーションを停止させるなど、他の部分の制御を組み合わせてもよい。
【産業上の利用可能性】
【００５６】
本発明は、レシーバー部７の近傍にカメラ部１０を備える任意の構造の携帯電話装置に対して適用することができる。
【図面の簡単な説明】
【００５７】
【図１】本発明の第１の実施例に係る携帯電話装置の概観を示す正面図と背面図である。
【図２】本発明の第１の実施例に係る携帯電話装置の構成を模式的に示すブロック図である。
【図３】本発明の第１の実施例に係る携帯電話装置における消費電力低減の動作を示すフローチャート図である。
【図４】本発明の第２の実施例に係る携帯電話装置の構成を模式的に示すブロック図で  ある。
【図５】本発明の第２の実施例に係る携帯電話装置における消費電力低減の動作を示すフローチャート図である。
【符号の説明】
【００５８】
１  制御部
２  無線部
３  アンテナ
４  表示部制御手段
５  表示部
６  背面表示部
７  入力部
８  レシーバー部
９  マイク部
１０  カメラ部
１１  背面カメラ部
１２  検知部
１３  無線部制御手段
【図１】
2007259134.tif 000003
【図２】
2007259134.tif 000004
【図３】
2007259134.tif 000005
【図４】
2007259134.tif 000006
【図５】
2007259134.tif 000007